(57)【要約】【課題】簡単な構造で、結露を防止することのできる冷却貯蔵用筐体を提供すること。【解決手段】本体キャビネット１１の内部に冷却貯蔵庫１２を構成するとともに、この冷却貯蔵庫１２の開口部１２ａを開閉する態様で本体キャビネット１１に断熱扉３０を支持させて成る自動販売機１０の筐体において、断熱扉３０は、枠体１３０を合成樹脂材料によって中空に形成し、且つ、この中空部１３２を冷却貯蔵庫１２の内部雰囲気と外気との間に介在させる態様で本体キャビネット１１に支持させたものである。【選択図】        図４
2007255852.tif 000002
【特許請求の範囲】
【請求項１】
本体キャビネットの内部に冷却貯蔵庫を構成するとともに、この冷却貯蔵庫の開口部を開閉する態様で前記本体キャビネットに断熱扉を支持させて成る冷却貯蔵用筐体において、
前記断熱扉は、枠体を合成樹脂材料によって中空に形成し、且つ、この中空に形成した部分を冷却貯蔵庫の内部雰囲気と外気との間に介在させる態様で前記本体キャビネットに支持させたことを特徴とする冷却貯蔵用筐体。
【請求項２】
前記断熱扉は、枠体の内部に複数層のガラス板から成るガラス体を嵌め込んで構成したものであることを特徴とする請求項１に記載の冷却貯蔵用筐体。
【発明の詳細な説明】
【技術分野】
【０００１】
本発明は、冷却貯蔵庫の開口部に断熱扉を開閉可能に支持させた冷却貯蔵用筐体に関するものである。
【背景技術】
【０００２】
従来、食品を冷蔵又は冷凍保存する冷却貯蔵庫は、スーパーマーケットやコンビニエンスストアにおける冷凍・冷蔵ショーケースや自動販売機として広く用いられている。この種の冷却貯蔵庫の開口には複層ガラスからなる透明な断熱扉が装備され、内部に収納した商品が外から透視できるようになっている。
【０００３】
この種の断熱扉では、アルミニウム等の金属材料によって枠体が形成され、さらに枠体の内部にヒータが設けられており、枠体を所定の温度に加熱することで枠体表面の結露を防止していた（例えば、特許文献１を参照）。
【０００４】
【特許文献１】特開平４−５２４８７号公報
【発明の開示】
【発明が解決しようとする課題】
【０００５】
しかし、特許文献１のように枠体内部にヒータを装備した場合、枠体の構造が複雑化するため、生産コストが上昇するという問題がある。また、冷却貯蔵庫が冷凍庫の場合には、庫内温度が氷点下になるため、枠体の冷却防止のためにヒータの容量を大きなものにしなければならず、消費電力が大きくなるという問題もある。
【０００６】
本発明は、上記実情に鑑みて、簡単な構造で、結露を防止することのできる冷却貯蔵用筐体を提供することを目的とする。
【課題を解決するための手段】
【０００７】
上記目的を達成するため、本発明の請求項１に係る冷却貯蔵用筐体は、本体キャビネットの内部に冷却貯蔵庫を構成するとともに、この冷却貯蔵庫の開口部を開閉する態様で前記本体キャビネットに断熱扉を支持させて成る冷却貯蔵用筐体において、前記断熱扉は、枠体を合成樹脂材料によって中空に形成し、且つ、この中空に形成した部分を冷却貯蔵庫の内部雰囲気と外気との間に介在させる態様で前記本体キャビネットに支持させたことを特徴とする。
【０００８】
また、本発明の請求項２に係る冷却貯蔵用筐体は、上述した請求項１において、前記断熱扉は、枠体の内部に複数層のガラス板から成るガラス体を嵌め込んで構成したものであることを特徴とする。
【発明の効果】
【０００９】
本発明によれば、枠体を合成樹脂材料によって中空に形成し、且つ、この中空に形成した部分を冷却貯蔵庫の内部雰囲気と外気との間に介在させるようにしているため、枠体自身の断熱性を向上させることが可能となり、ヒータを設けることなく結露を防止することができるようになる。従って、構造の簡略化から生産コストが上昇する問題を解決できるばかりでなく、ヒータを駆動するための電力が不要となり、省エネルギーにも寄与することができる。
【発明を実施するための最良の形態】
【００１０】
以下、添付図面を参照して、本発明に係る冷却貯蔵用筐体の好適な実施の形態について詳細に説明する。
【００１１】
図１は、本発明の実施の形態である冷却貯蔵用筐体を示したものである。ここで例示する冷却貯蔵用筐体は、アイスクリーム等の冷凍食品を販売するための自動販売機１０の筐体として用いられるもので、本体キャビネット１１を備えている。
【００１２】
本体キャビネット１１は、その内部に貯蔵庫１２を画成するもので、断熱性を有した複数の壁部材１３を適宜組み合わせることによって前面が開口した直方状に構成してある。図には明示していないが、この本体キャビネット１１は、貯蔵庫１２の内部に冷凍サイクルの蒸発器等、冷却装置を備えており、この冷却装置の駆動により貯蔵庫１２の内部を所定の冷却温度、例えば−２０℃に冷却することが可能である。以下においては、本体キャビネット１１の貯蔵庫を「冷却貯蔵庫１２」と称して説明を行う。
【００１３】
本体キャビネット１１の前面には、外扉２０及び断熱扉３０が設けてある。外扉２０は、自動販売機１０の前面を構成するもので、本体キャビネット１１の一側縁部に揺動可能に支持させてある。本実施の形態では、鋼材からなる外枠２１の内部に透明なガラス窓２２を嵌め込むことによって構成した外扉２０を示している。また、図には明示していないが、外扉２０と本体キャビネット１１との間には、外扉２０を閉塞した状態に保持するための施錠装置が設けてある。
【００１４】
断熱扉３０は、本体キャビネット１１に設けた冷却貯蔵庫１２の前面開口部１２ａを覆うためのもので、本体キャビネット１１の一側縁部において外扉２０の内側となる部位に揺動可能に支承させることにより冷却貯蔵庫１２の前面開口部１２ａを開閉することが可能である。
【００１５】
図２〜図４は、断熱扉３０の詳細構成を示したものである。以下、これらの図を参照しながら断熱扉３０の構成について詳述する。図２及び図３に示すように、断熱扉３０は、枠体１３０とガラス体２３０とを備えて構成してある。
【００１６】
枠体１３０は、４本の枠本体１３１を備えた矩形の枠状を成すもので、冷却貯蔵庫１２の前面開口部１２ａを覆うに十分な大きさに構成してある。枠本体１３１は、それぞれアルミニウム等の金属と比較して熱伝導率の低い合成樹脂材料、例えばポリプロピレンや塩化ビニルによって成形したもので、横断面が中空の角柱状を成している。図４に示すように、各枠本体１３１は、本体キャビネット１１における壁部材１３の板厚よりも大きな幅を有し、断熱扉３０を閉成した場合にそれぞれの庫内側の壁部１３６がいずれも冷却貯蔵庫１２の内部に臨むように、つまり枠本体１３１の中空部１３２が冷却貯蔵庫１２の内部雰囲気と外気との間に介在するように構成してある。４本の枠本体１３１は、それぞれの中空部１３２が互いに連通しており、図３に示すように、枠体１３０の内部に相互に連通した無端矩形状の空気層を画成している。
【００１７】
この枠体１３０の内側縁部には、嵌込溝１３３が構成してある。嵌込溝１３３は、枠本体１３１の内側面からそれぞれ互いに平行となる態様で一対の挟持壁部１３４を突設することにより、これら挟持壁部１３４の相互間に画成されるものである。挟持壁部１３４は、枠本体１３１と一体に成形してあり、互いに対向する面に複数の突条部１３４ａを有している。
【００１８】
また、枠体１３０において本体キャビネット１１の壁部材１３に対向する部位には、その全周に亘ってガスケット３３０が装着してある。ガスケット３３０は、枠体１３０を閉成した場合に本体キャビネット１１の壁部材１３との間に圧接され、冷却貯蔵庫１２の内部雰囲気を密封状態とするもので、枠体１３０に形成したガスケット取付用溝部１３５に装着してある。図からも明らかなように、ガスケット取付用溝部１３５は、枠本体１３１の庫内側表面に形成した有底の凹溝であり、枠本体１３１の中空部１３２から隔離する態様で構成してある。これにより、枠体１３１の庫外側の壁部からガスケット１３０への熱伝導が抑制される。
【００１９】
ガラス体２３０は、スペーサ２３１を介して３枚のガラス板２３２ａ，２３２ｂ，２３２ｃを積層して構成した矩形状の三層ガラスであり、各辺となる部分を枠体１３０の嵌込溝１３３に挿入することによって枠体１３０の内部に装着してある。それぞれのガラス板２３２ａ，２３２ｂ，２３２ｃの間は、乾燥空気や不活性ガスが封入された状態、あるいは真空状態としてあり、単体のガラス体２３０として所望の断熱性を確保するようにしている。また、ガラス体２３０と枠体１３０とは、挟持壁部１３４に設けた突条部１３４ａを介して接触するのみであり、互いの間の熱伝導を制限するようにしてある。
【００２０】
上記のように構成した自動販売機１０では、断熱扉３０によって冷却貯蔵庫１２の前面開口部１２ａを閉成した後、さらに断熱扉３０の前面側から外扉２０を閉成した状態が販売待機状態となる。
【００２１】
この販売待機状態においては、断熱扉３０を閉塞することによって冷却貯蔵庫１２が密封状態となるため、上述した図示せぬ冷却装置を駆動することにより、冷却貯蔵庫１２の内部を−２０℃に保持することができ、アイスクリーム等の冷凍食品を冷凍した状態で収納することが可能となる。
【００２２】
しかも、販売待機状態においても、外扉２０のガラス窓２２及び断熱扉３０のガラス体２３０を通じて冷却貯蔵庫１２の内部を視認することができるため、利用者は、内部に収納された販売商品を直接選択して商品を購入することが可能となる。
【００２３】
ここで、冷却貯蔵庫１２の内部が−２０℃に冷却された状態においては、この冷却貯蔵庫１２の内部雰囲気と外気との間に介在されることになる断熱扉３０の外表面に結露を招来する虞れがある。
【００２４】
しかしながら、この自動販売機１０によれば、断熱扉３０のガラス体２３０として三層ガラスを適用し、所望の断熱性を確保しているため、当該ガラス体２３０の外表面に結露が発生する事態を防止することができる。
【００２５】
一方、断熱扉３０の枠体１３０に関しては、アルミニウム等の金属と比較して熱伝導率の低い合成樹脂材料によって成形しているばかりでなく、中空部１３２の空気層が冷却貯蔵庫１２の内部雰囲気と外気との間に介在しているため、枠体１３０を中実に成形した場合に比べて断熱性が大幅に向上し、熱の移動を大幅に抑制することができるようになる。
従って、冷却貯蔵庫１２の内部雰囲気が−２０℃の状態であっても、枠体１３０の内部にヒータを装備することなく、枠体１３０の外表面が冷却される事態を抑制することができ、結露の発生を防止することが可能となる。
【００２６】
上記のように中空部１３２を構成した場合、枠体１３０を通る熱の流れは、主に、外気、枠体１３０、中空部１３２（空気層）、枠体１３０、庫内１２の空気という経路に沿うものとなる。
中空部１３２が冷却貯蔵庫１２の内部雰囲気と外気との間に介在しない構成とした場合、例えば、中空部１３２が全て枠体１３１と同じ合成樹脂材料によって充填されていた場合、熱の流れは、外気、枠体１３０、庫内１２の順になり、前述の場合よりも熱が伝わり易くなり（すなわち、空気よりも合成樹脂材料の熱伝導率が高いから）、枠体の外表面が冷却されやすくなる。
【００２７】
尚、上述した実施の形態では、アイスクリーム等の冷凍食品を販売するための自動販売機１０の筐体として用いられる冷却貯蔵用筐体を例示しているが、これに限定されず、本体キャビネットの内部に冷却貯蔵庫を構成するものであれば、例えばショーケース等のその他の冷却貯蔵用筐体にも適用することができる。この場合、冷却貯蔵庫の内部は必ずしも氷点下に維持して冷凍する必要はなく、冷却するものであれば、いわゆる冷蔵するものであっても構わない。
【００２８】
また、上述した実施の形態では、枠体の中空部を単に空気層としているが、これに限定されず、例えば、空気より熱伝導率の低いアルゴンガス等の不活性ガスを枠体の中空部に封入すれば、枠体の断熱性をさらに向上させることができるようになる。
【００２９】
さらに、上述した実施の形態では、断熱扉３０の枠体１３０に三層ガラスから成るガラス体２３０を嵌め込むようにしているが、本発明はこれに限定されない。例えば二層ガラスや四層以上のガラス体を適用しても良いし、他の断熱材からなる板状体を枠体に嵌め込んで断熱扉を構成しても良い。尚、複数層のガラス板を適用する場合、ガラス板相互間を必ずしも真空状態とする必要はなく、単に空気を封入させた状態とすれば十分である。
【産業上の利用可能性】
【００３０】
以上のように、本発明の冷却貯蔵用筐体では、枠体を合成樹脂材料で形成し、且つ、この中空に形成した部分が冷却貯蔵庫の内部雰囲気と外気との間に介在する態様とすることで、枠体の断熱性を向上させたので、特に夏場の冷却運転時のように庫内温度と外気温度との差が大きい場合や、冷凍庫のように庫内温度が氷点下になる場合においても、枠体表面の結露を防止することができる。また、従来のように枠体内部にヒータを設ける必要がないため、枠体の構造が簡略化されて生産性が向上するとともに、省エネルギーにも寄与できる。
【図面の簡単な説明】
【００３１】
【図１】本発明に係る冷却貯蔵用筐体を適用した自動販売機の斜視図である。
【図２】図１に示した自動販売機の内扉として適用される断熱扉の背面図である。
【図３】図２に示した断熱扉の一部を断面で示した斜視図である。
【図４】図１におけるＡ−Ａ線断面図である。
【符号の説明】
【００３２】
１０      自動販売機
１１      本体キャビネット
１２      冷却貯蔵庫
１２ａ    前面開口部
１３      中空部
１３      壁部材
３０      断熱扉
１３０      枠体
１３１      枠本体
１３２      中空部
１３３      嵌込溝
１３４      挟持壁部
１３５      ガスケット取付用溝部
２３０      ガラス体
２３１      スペーサ
２３２ａ，２３２ｂ，２３２ｃ      ガラス板
３３０      ガスケット
【図１】
2007255852.tif 000003
【図２】
2007255852.tif 000004
【図３】
2007255852.tif 000005
【図４】
2007255852.tif 000006